(57)【特許請求の範囲】
【請求項１】
人体検知センサにより検知した人の位置の方向を、発光体が発する光を発光表示部から放出することにより表示する空気調和機の室内ユニットにおいて、前記発光体と前記発光表示部との間に、前記発光体に面する部分に前記発光体を中心とし前記発光体を覆うドーム状形状で内側の断面が鋸刃状の形状を有する光入射部を有し前記光入射部から前記発光表示部の両端までを接続する三角形状の形状を有する導光体を具備し、前記発光体の上部に導光体を配置し、前記発光体の前面には反射体を設け、前記反射体で前記発光体が発する光を前記導光体の方向へ反射させ、前記発光表示部の上部に遮光部材を設けることを特徴とする空気調和機の室内ユニット。
【請求項２】
前記導光体の前記発光表示部と対向する側に、表面がローレット形状を有するローレット部材が設けられることを特徴とする請求項１に記載の空気調和機の室内ユニット。
【発明の詳細な説明】
【技術分野】
【０００１】
本発明は空気調和機に関し、具体的には、人体検知センサにより検知した人の位置の方向をＬＥＤ等の発光体を用いて表示する空気調和機の室内ユニットに関するものである。
【背景技術】
【０００２】
従来、室内ユニットに設けられた人体検知センサにより、室内のどこに人がいるかを検知し、その検知情報を利用して快適で効率的な空気調和を行う空気調和機が提案されている（例えば、特許文献１参照）。
【０００３】
この場合、空気調和機が人体検知センサで検知した方向への送風制御を実施しているこ
とを使用者に認知させるため、室内ユニットにおいて人体検知センサの近傍にＬＥＤ等の発光体を配置し、検知した人体位置の方向を発光表示させて、空気調和機が人の位置を認識していることを使用者に視認させるようにしている。
【０００４】
なお、室内ユニットの発光表示により情報認識させる空気調和機は一般的に知られている（例えば、特許文献２参照）。
【特許文献１】特開２０００−２４１００３号公報
【特許文献２】特開２００２−１３７９５号公報
【発明の開示】
【発明が解決しようとする課題】
【０００５】
従来の構成において、空気調和機の室内ユニットが床上２ｍ程度の位置に設置された条件では４〜５ｍ先からの視認を考慮すると、高さ３ｍｍ×幅４０ｍｍ以上の広い範囲で発光させるのが望ましい。
【０００６】
そのため、発光体から発光表示部まである程度の距離を設け、発光体からの光を拡散させることが必要となる。しかしながら、従来の構成では発光体周辺のユニットが大きくなり過ぎ、光量の減少を招いてしまうという課題があった。
【０００７】
また、発光体から発光表示部までの距離を短くすればユニットの小型化は可能であるが、この場合は広い範囲を発光させることができず、発光表示部において発光体の光を均一に拡散させにくくなるという課題が生じてしまう。
【課題を解決するための手段】
【０００８】
上記課題を解決するために、本発明は、発光体に面する光入射部については、発光体を中心とし発光体を覆うようなドーム状形状で、その内側の断面が鋸刃状の形状であり、また、全体形状については、光入射部から室内ユニットのデザインにより定められる発光表示部の両端までを接続する三角形状の形状である導光体を有するものである。
【発明の効果】
【０００９】
本発明によれば、人体検知センサが設けられた空気調和機の室内ユニットにおいて、人体検知した方向に対応して発光体を発光させる場合に、発光部分が４０ｍｍ以上の長さを有する範囲であっても十分な光量で発光させることができ、正常に人体検知が作動していることを昼間の室内でも視認可能となる。
【発明を実施するための最良の形態】
【００１０】
第１の発明は、人体検知センサにより検知した人の位置の方向を、発光体が発する光を発光表示部から放出することにより表示する空気調和機の室内ユニットにおいて、前記発光体と前記発光表示部との間に、前記発光体に面する部分に前記発光体を中心とし前記発光体を覆うドーム状形状で内側の断面が鋸刃状の形状を有する光入射部を有し前記光入射部から前記発光表示部の両端までを接続する三角形状の形状を有する導光体を具備し、前記発光体の上部に導光体を配置し、前記発光体の前面には反射体を設け、前記反射体で前記発光体が発する光を前記導光体の方向へ反射させ、前記発光表示部の上部に遮光部材を設けるものである。
【００１１】
第２の発明は、第１の発明において、前記導光体の前記発光表示部と対向する側に、表面がローレット形状を有するローレット部材が設けられるものである。
【００１２】
以下、本発明の実施形態について、図面を参照しながら説明する。
【００１３】
（実施の形態）
図１は、本発明の実施の形態における空気調和機の室内ユニットの正面図である。図１に示されるように、室内ユニット１は、センシングユニット６が備えられた前面パネル１３を有している。この室内ユニット１は、センシングユニット６からの人体位置検知情報に基づき、人体位置を特定することにより送風方向を決定し空気調和を行う。
【００１４】
図２は、本実施の形態におけるセンシングユニット６の分解斜視図である。
【００１５】
図２に示されるように、センシングユニット６は、複数（本実施の形態では３個）の人体検知センサ２と、人体検知センサ２のそれぞれに対応する導光体９（３個）と、３個の導光体９のそれぞれに対応するＬＥＤ等の発光体８（３個）備えた回路基板１４と、カバー７と反射体１１とベースユニット１５とを有している。
【００１６】
人体検知センサ２は人体から放出される遠赤外線を検知し、室内ユニット１の設置位置を基準として、室内における人体位置を検知する機能を有している。導光体９は、透明または半透明の素材により形成され、その形状や内包物により可視光を導光・拡散する。
【００１７】
本実施の形態においては、センシングユニット６が前面パネル１３に装着されると、導光体９の一部が前面パネル１３の前面外側に突出するようになる。回路基板１４に備えられた３個の発光体８はそれぞれ、人体検知センサ２で検知した人体が、室内の左端、中央、右端のいずれかに位置するかに対応して発光する。
【００１８】
具体的には、室内ユニット１を中心に室内を３分割し、右側領域で人体を検知した場合は右端の発光体８が、中央領域で検知した場合は中央の発光体８がそれぞれ発光し、複数の領域、例えば左側領域と右側領域とで検知した場合は左端と右端の発光体８が同時に発光する。
【００１９】
発光体８からの光は、導光体９内を伝搬して前面パネル１３の表面に到達し、発光表示部１６を光らせる。この発光が人体位置検知と連動することで人体位置検知情報を視覚的に使用者に提供し、室内ユニット１による人体検知が正しく行われていることを視認させることを可能とする。
【００２０】
図３は、本発明の実施の形態におけるセンシングユニット６の中央断面図である。
【００２１】
図３に示されるように、人体検知センサ２は、回路基板３と赤外線検知センサ４とレンズ５とから構成される。レンズ５には遠赤外線を透過する材料が用いられる。人感検知センサ２の上面は、ベースユニット１５に取り付けられたカバー７で覆われている。
【００２２】
カバー７には、例えば樹脂材料を用いる場合には高密度ポリエチレンが使用され、赤外線を透過させる面の厚さを０．５５ｍｍ以下とすると赤外線の減衰を最小限に抑制することができる。
【００２３】
上記構成センシングユニット６の発光体８を発光させるにあたり、配線の短縮化を図るため、人体検知センサ２に近い位置に発光体８を設置することが望ましい。また、前面パネル１３の表面から露出している導光体９の高さが３ｍｍとなっているため、人物が室内ユニットから４〜５ｍ程度離れた位置から目視した際にこの光の位置を判別するには一定以上の光量が必要とされ、さらに、視認性の観点から光を４０ｍｍ以上の幅で拡散させることが好ましい。
【００２４】
これを実現するための構成を、図４を用いて説明する。図４（ａ）、（ｂ）、（ｃ）、
（ｄ）はそれぞれ、本発明の実施の形態における（ａ）センシングユニット６の正面図、（ｂ）導光体９近傍の正面図、（ｃ）光入射部１０の拡大図、（ｄ）導光体９の拡大図である。
【００２５】
図４（ａ）、（ｂ）に示されるように、３個の発光体８にそれぞれ対応する３個の導光体９が、円弧状のカバー７の下面に接するように設けられる。導光体９の下方には発光体８を備えた回路基板４が設置される。発光体８からの光は対応の導光体９に導かれ、発光表示部１６から室内ユニット１の外部に放出される。
【００２６】
図４（ｃ）に示されるように、導光体９に発光体８からの光が入射する光入射部１０は、発光体８を中心とし発光体８を覆うようなドーム状に形成され、その内面は断面が鋸刃形状に形成される。この光入射部１０により、導光体９に光が入射した際、屈折と乱反射による光の拡散を発生させることができる。
【００２７】
また、導光体９は全体形状としては、光入射部１０から室内ユニットのデザインで定められた発光表示部１６の両端まで直線的につないだ三角形状の形状を有している。
【００２８】
光入射部１０から発光表示部１６までの距離は１０〜１５ｍｍとなっているが、これは従来の構成より短くなっており、そのままでは、発光体８からの光が上方に透過してしまい、目的の方向へ導光できない。
【００２９】
そこで、上述のカバー７の下面を反射面１７として利用し、前方への反射光となるようにする。この形状により、発光体が発した光を効率的に発光表示部１６に導くことができる。
【００３０】
なお、導光体９の下方に設けられた反射体１１によって導光体９の方向に反射させるようにすると、発光体８から下方への光を有効利用することができる。
【００３１】
また、ベースユニット１５に遮光部材１８を設けることで遮光を行うようにすれば、カバー７を透過して上方へ透過する光量を減少させることができ、前方への光量を増加させることができる。
【００３２】
さらに、導光体９の光入射部１０と反対側、すなわち、集光された光が放出される側にローレット部材１２を設けるとよい。
【００３３】
図５は、本発明の実施の形態におけるローレット部材１２の斜視図である。図５に示されるように、ローレット部材１２は、３個の導光体９の光入射部１０と反対側が接するように一体成形により円弧状に形成され、導光体９の発光表示部１６と対向する側、すなわち、光が放出される側の表面がローレット形状を有している。
【００３４】
このローレット部材１２を発光表示部１６に近接させ、カバー７の下端に接するように設けると、導光体９により集光された光をさらに均一に拡散させることができる。これにより、発光表示部からセンシングユニット６の前面方向に、使用者が容易に視認できる程度の光量を得ることが可能となる。
【００３５】
以上のように、本実施の形態によれば、人体検知センサが設けられた空気調和機の室内ユニットにおいて、人体検知した方向に対応して発光体を発光させる場合に、十分な範囲・光量で発光させることができ、正常に人体検知が作動していることを使用者に視認させることができる。
【産業上の利用可能性】
【００３６】
以上のように、本発明の空気調和機の室内ユニットにかかる構造は、空気調和機以外にも、人体検知センサを搭載し、人体位置検知を発光と連動させる他の電気機器等においても適用可能である。
【図面の簡単な説明】
【００３７】
【図１】本発明の実施の形態における空気調和機の正面図
【図２】本発明の実施の形態におけるセンシングユニットの分解斜視図
【図３】本発明の実施の形態におけるセンシングユニットの中央断面図
【図４】本発明の実施の形態における（ａ）センシングユニットの正面図、（ｂ）導光体近傍の正面図、（ｃ）光入射部の拡大図、（ｄ）導光体の拡大図
【図５】本発明の実施の形態におけるローレット部材の斜視図
【符号の説明】
【００３８】
１  室内ユニット
２  人体検知センサ
３  回路基板
４  赤外線検知センサ
５  レンズ
６  センシングユニット
７  カバー
８  発光体
９  導光体
１０  光入射部
１１  反射体
１２  ローレット部材
１３  前面パネル
１４  回路基板
１５  ベースユニット
１６  発光表示部
１７  反射面
１８  遮光部材
【図３】
0004962260.tif 000002
【図１】
0004962260.tif 000003
【図２】
0004962260.tif 000004
【図４】
0004962260.tif 000005
【図５】
0004962260.tif 000006